(57)【特許請求の範囲】
【請求項１】
通信ネットワーク内で接続を行なうためのゲートウェイデバイスであって、
該ゲートウェイデバイスによってサービングされる第１のホーム基地局から、移動通信デバイスを該ゲートウェイデバイスによってサービングされる第２のホーム基地局に登録するためのリロケーション要求メッセージを受信する手段と、
前記受信されたリロケーション要求メッセージから、前記移動通信デバイスのための一時識別子を決定する手段と、
前記通信ネットワークのコアネットワークデバイスに、前記移動通信デバイスの永久識別子を要求するための情報要求メッセージを送信する手段であって、該情報要求メッセージは前記一時識別子を含んで、送信する手段と、
前記通信ネットワークのコアネットワークデバイスから情報応答メッセージを受信する手段であって、該情報応答メッセージは前記移動通信デバイスの永久識別子を含んで、受信する手段と、
前記受信された永久識別子に基づいて、前記第２のホーム基地局に対する前記移動通信デバイスのためのアクセス制御を開始する手段とを備える、ゲートウェイデバイス。
【請求項２】
前記受信された永久識別子が前記第２のホーム基地局のためのアクセス制御リスト上にあるか否かを判断する手段を更に備え、
前記受信された永久識別子が前記アクセス制御リスト上にあると判断すると、前記第２のホーム基地局に、前記移動通信デバイスのためのリロケーション要求メッセージを送信する手段を更に備える、請求項１に記載のゲートウェイデバイス。
【請求項３】
前記第２のホーム基地局に、前記移動通信デバイスのためのリロケーション要求メッセージを送信する手段を更に備え、該リロケーション要求メッセージは、前記第２のホーム基地局がアクセス制御を実行するための前記受信された永久識別子を含む、請求項１に記載のゲートウェイデバイス。
【請求項４】
情報要求メッセージを送信するための前記手段は、コネクション型通信プロトコルを用いて該情報要求メッセージを送信するように動作可能である、請求項１〜３のいずれか一項に記載のゲートウェイデバイス。
【請求項５】
情報応答メッセージを受信するための前記手段は、コネクション型通信プロトコルに従って前記情報要求メッセージを受信するように動作可能である、請求項１〜４のいずれか一項に記載のゲートウェイデバイス。
【請求項６】
前記第１のホーム基地局及び前記第２のホーム基地局はＨｅＮＢ又はフェムトセルである、請求項１〜５のいずれか一項に記載のゲートウェイデバイス。
【請求項７】
前記永久識別子は国際移動加入者識別番号である、請求項１〜６のいずれか一項に記載のゲートウェイデバイス。
【請求項８】
前記一時識別子は、前記ゲートウェイデバイスに登録されたホーム基地局によってサービングされる他のデバイスから、前記移動通信デバイスを一意に識別する、請求項１〜７のいずれか一項に記載のゲートウェイデバイス。
【請求項９】
前記第１のホーム基地局及び前記第２のホーム基地局並びに前記移動通信デバイスは、クローズド加入者グループ動作のために構成される、請求項１〜８のいずれか一項に記載のゲートウェイデバイス。
【請求項１０】
前記第１のホーム基地局のための第１のクローズド加入者グループを決定する手段と、
前記第２のホーム基地局のための第２のクローズド加入者グループを決定する手段と、
前記第１のクローズド加入者グループ及び前記第２のクローズド加入者グループが同じであるか又は異なるかを判断する手段とを更に備える、請求項１〜９のいずれか一項に記載のゲートウェイデバイス。
【請求項１１】
通信システムであって、
通信ネットワーク内で接続を行なうためのゲートウェイデバイスと、
前記ゲートウェイデバイスによってサービングされる第１のホーム基地局と、
前記ゲートウェイデバイスによってサービングされる第２のホーム基地局と、
前記第１のホーム基地局及び前記第２のホーム基地局に接続を行なうための移動通信デバイスとを備え、
前記移動通信デバイスは、
前記第１のホーム基地局及び／又は前記第２のホーム基地局から受信される信号に対して測定を実行する手段と、
前記実行された測定に基づいて、前記第１のホーム基地局に測定報告を送信する手段とを備え、
前記第１のホーム基地局は、
前記移動通信デバイスから測定報告を受信する手段と、
前記受信された測定報告から、前記移動通信デバイスが前記第１のホーム基地局から前記第２のホーム基地局にリロケートすべきであると判断する手段と、
前記ゲートウェイデバイスに、前記移動通信デバイスを前記第２のホーム基地局に登録するためのリロケーション要求メッセージを送信する手段とを備え、
前記ゲートウェイデバイスは、
前記第１のホーム基地局から、前記移動通信デバイスを前記第２のホーム基地局に登録するためのリロケーション要求メッセージを受信する手段と、
前記受信されたリロケーション要求メッセージから、前記移動通信デバイスのための一時識別子を決定する手段と、
前記通信ネットワークのコアネットワークデバイスに、前記移動通信デバイスの永久識別子を要求するための情報要求メッセージを送信する手段であって、該情報要求メッセージは前記一時識別子を含む、送信する手段と、
前記通信ネットワークのコアネットワークデバイスから、前記移動通信デバイスの永久識別子を含む情報応答メッセージを受信する手段と、
前記受信された永久識別子に基づいて、前記第２のホーム基地局に対する前記移動通信デバイスのためのアクセス制御を開始する手段と、
前記移動通信デバイスのためのリロケーション要求メッセージを前記第２のホーム基地局に送信する手段とを備え、
前記第２のホーム基地局は、
前記移動通信デバイスによって測定するための信号を送信する手段と、
前記移動通信デバイスのためのリロケーション要求メッセージを受信する手段とを備える、通信システム。
【請求項１２】
通信ネットワークのゲートウェイデバイスによって実行される方法であって、
前記ゲートウェイデバイスによってサービングされる第１のホーム基地局から、移動通信デバイスを前記ゲートウェイデバイスによってサービングされる第２のホーム基地局に登録するためのリロケーション要求メッセージを受信すること、
前記受信されたリロケーション要求メッセージから、前記移動通信デバイスのための一時識別子を決定すること、
前記通信ネットワークのコアネットワークデバイスに、前記移動通信デバイスの永久識別子を要求するための情報要求メッセージを送信することであって、該情報要求メッセージは前記一時識別子を含んで、送信すること、
前記通信ネットワークのコアネットワークデバイスから情報応答メッセージを受信することであって、該情報応答メッセージは前記移動通信デバイスの永久識別子を含んで、受信すること、及び
前記受信された永久識別子に基づいて、前記第２のホーム基地局に対する前記移動通信デバイスのためのアクセス制御を開始することを含む、方法。
【請求項１３】
前記受信された永久識別子が前記第２のホーム基地局のためのアクセス制御リスト上にあるか否かを判断することを更に含み、
前記受信された永久識別子が前記アクセス制御リスト上にあると判断すると、前記第２のホーム基地局に、前記移動通信デバイスのためのリロケーション要求メッセージを送信することを更に含む、請求項１２に記載の方法。
【請求項１４】
前記第２のホーム基地局に、前記移動通信デバイスのためのリロケーション要求メッセージを送信することを更に含み、該リロケーション要求メッセージは、前記第２のホーム基地局がアクセス制御を実行するための前記受信された永久識別子を含む、請求項１２に記載の方法。
【請求項１５】
前記情報要求メッセージ及び前記情報応答メッセージのうちの一方又は両方が、コネクション型通信プロトコルを用いて通信される、請求項１２〜１４のいずれか一項に記載の方法。
【請求項１６】
前記第１のホーム基地局及び前記第２のホーム基地局はＨｅＮＢ又はフェムトセルである、請求項１２〜１３のいずれか一項に記載の方法。
【請求項１７】
前記永久識別子は国際移動加入者識別番号である、請求項１２〜１４のいずれか一項に記載の方法。
【請求項１８】
前記一時識別子は、前記ゲートウェイデバイスに登録されたホーム基地局によってサービングされる他のデバイスから、前記移動通信デバイスを一意に識別する、請求項１２〜１７のいずれか一項に記載の方法。
【請求項１９】
前記第１のホーム基地局及び前記第２のホーム基地局並びに前記移動通信デバイスは、クローズド加入者グループ動作のために構成される、請求項１２〜１８のいずれか一項に記載の方法。
【請求項２０】
前記第１のホーム基地局のための第１のクローズド加入者グループを決定すること、
前記第２のホーム基地局のための第２のクローズド加入者グループを決定すること、並びに
前記第１のクローズド加入者グループ及び前記第２のクローズド加入者グループが異なると判断することを更に含む、請求項１２〜１９のいずれか一項に記載の方法。
【請求項２１】
プログラマブルコンピューターデバイスが請求項１〜１０のいずれか一項に記載のゲートウェイデバイスとして構成されるようになるためのコンピューター実施可能命令を含むコンピュータープログラム。
【発明の詳細な説明】
【技術分野】
【０００１】
本発明は、移動電気通信ネットワーク、特に、排他的（専用）ではないが、３ＧＰＰ（第３世代パートナーシッププロジェクト）標準規格又はその等価物若しくは派生物に従って動作するネットワークに関する。本発明は、特に、排他的（専用）ではないが、移動ユーザーデバイスの移動性に、より具体的には、ホーム基地局間の移動デバイスの移動性に関連している。
【０００２】
本出願は、２００９年８月１２日に出願された英国特許出願第０９１４１０３．７号に基づくと共に該特許出願からの優先権の利益を主張する。該特許出願の開示は参照によりその全体が本明細書に援用される。
【背景技術】
【０００３】
３ＧＰＰ標準規格の下で、ＮｏｄｅＢ（又はＬＴＥにおいてはｅＮＢ）は、移動デバイスがコアネットワークに接続する際に経由する基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ（ロングタームエボリューション）標準規格に従って動作している場合、ＨＮＢはＨｅＮＢと呼ばれることがある。同様のアーキテクチャがＷｉＭＡＸネットワークにも適用される。この場合、ホーム基地局は一般にフェムトセルと呼ばれる。単純にするために、本出願ではＨＮＢという用語を用いて任意のそのようなホーム基地局を指し、ＮｏｄｅＢという用語を総称的に用いて他の基地局（ＨＮＢが動作するマクロセルの基地局等）を指す。１つ又は複数のＨＮＢは自宅内の無線カバレッジ（例えば３Ｇ／４Ｇ／ＷｉＭＡＸ）を提供し、１つ又は複数の適切な公衆ネットワークを介して（例えばインターネットへのＡＤＳＬリンクを介して）コアネットワークへ接続し、３ＧＰＰ標準規格の場合は、１つ又は複数のＨＮＢからのトラフィックを集約するＨＮＢゲートウェイ（ＨＮＢ−ＧＷ）を介してコアネットワークへ接続する。
【０００４】
ＨＮＢは複数のアクセスモード、すなわち、ＨＮＢがクローズド加入者グループ（ＣＳＧ）セルとして動作する「クローズド」アクセスモード、ＨＮＢがＣＳＧセルとして動作するが、同時に非メンバーもアクセスを許される「ハイブリッド」アクセスモード、及びＨＮＢが通常の（非ＣＳＧ）セルとして動作する「オープン」アクセスモードのうちの１つを用いて動作するように構成することができる。
【０００５】
複数のＣＳＧのメンバーである移動デバイスが、アクセス制御に成功した後に、第１のＣＳＧのメンバーである第１のホーム基地局から、第２の異なるＣＳＧのメンバーである第２のホーム基地局にリロケートすることができる。
【０００６】
現在のところ、移動デバイスがＨＮＢ間でハンドオーバする際の移動デバイスのためのアクセス制御は、状況に応じて、ＨＮＢ−ＧＷによって実行されることもあれば、コアネットワークによって実行されることもある。ＨＮＢに関連付けられたセルのサイズが小さいとき、ＨＮＢ間リロケーションが頻繁に生じることになるので、本発明者らは、コアネットワークにおいてアクセス制御を実行することがそのリソースを消耗する原因になること、それゆえ、アクセス制御が、コアネットワークではなく、ＨＮＢ−ＧＷにおいて実行されれば好都合であることを理解している。
【発明の概要】
【発明が解決しようとする課題】
【０００７】
当業者が効率的に理解するために、本発明は３Ｇシステムとの関連で詳細に説明されることになるが、本発明の原理は、システムの対応する要素を必要に応じて変更して、移動デバイス又はユーザー装置（ＵＥ）がいくつかの基地局のうちの１つと通信する他のシステム（ＷｉＭＡＸ等）にも適用することができる。
【０００８】
したがって、本発明の好ましい実施の形態は、上記の問題を克服するか、又は少なくとも緩和する方法及び装置を提供することを目的とする。
【課題を解決するための手段】
【０００９】
本発明の一態様によれば、ゲートウェイデバイスが、ソースホーム基地局から、移動通信デバイスをソースホーム基地局からターゲットホーム基地局にリロケートするための要求を受信する。ゲートウェイデバイスは、その要求に基づいて、移動通信デバイスのための一時識別子を決定し、一時識別子を含む要求メッセージをネットワークデバイスに送信する。ゲートウェイデバイスは、ネットワークデバイスから、移動通信デバイスの永久識別子を特定するメッセージを受信すると、その永久識別子に基づいて、移動通信デバイスをターゲットホーム基地局にリロケートするためのアクセス制御を開始する。
【００１０】
アクセス制御がコアネットワークにおいて実行されないので、これは、都合の良いことに、ＨＮＢ間ハンドオーバに対するコアネットワーク関与を低減する。更に都合の良いことに、これにより、ＣＳＧ使用可能及び非ＣＳＧ使用可能移動電話の両方のためのアクセス制御を同じデバイスによって実行することができるようになり、それにより、アクセス制御の取り扱いの均一性を高め、かつ処理の複雑さを低減することができる。
【００１１】
ゲートウェイデバイスは、移動通信デバイスの永久識別子がターゲットホーム基地局のためのアクセス制御リスト上にあるか否かを調べ、リスト上にある場合には、ターゲットホーム基地局にリロケーションメッセージを送信することができる。
【００１２】
ゲートウェイデバイスは、ターゲットホーム基地局がアクセス制御を実行することができるように、ターゲットホーム基地局にリロケーションメッセージを送信することができる。
【００１３】
ゲートウェイデバイスは、コネクション型（connection oriented）プロトコルを用いて要求メッセージを送信することができ、かつ／又はコネクション型プロトコルを用いて永久識別子を特定するメッセージを受信することができる。
【００１４】
ソースホーム基地局及び／又はターゲットホーム基地局は、ＨｅＮＢ若しくはフェムトセルとすることができ、かつ／又はクローズド加入者グループ能力を有することができる。
【００１５】
永久識別子は、国際移動加入者識別番号とすることができる。一時識別子は、ゲートウェイデバイスによってサービングされる他のデバイスから、その移動通信デバイスを識別することができる。
【００１６】
ゲートウェイデバイスは、ソースホーム基地局及びターゲットホーム基地局が同じクローズド加入者グループに属するか、異なるクローズド加入者グループに属するかを調べることができる。
【００１７】
ここで、本発明の実施形態を、例として、添付の図面を参照しながら説明する。
【図面の簡単な説明】
【００１８】
【図１】実施形態が適用可能であるタイプの移動電気通信システムを示す概略図である。
【図２】図１に示されるシステムの一部を形成する移動電話のブロック図である。
【図３】図１に示されるシステムの一部を形成するホーム基地局のブロック図である。
【図４】図１に示されるシステムの一部を形成するホーム基地局ゲートウェイのブロック図である。
【図５】図１のシステムの動作を例示するシグナリングフロー図である。
【発明を実施するための形態】
【００１９】
概説
図１は、移動（セルラー）電気通信システム１を概略的に示しており、そのシステムでは、移動電話（ＭＴ）３のユーザーが、「ホーム」基地局（ＨＮＢ）に基づくセル９−１から離れているときに、３Ｇ無線アクセスネットワーク（ＲＡＮ）基地局５のマクロセル、無線ネットワークコントローラー（ＲＮＣ）７及びコアネットワーク（ＣＮ）８を介して、他のユーザー（図示せず）と通信することができる。電気通信システム１において、ユーザーは、ＨＮＢに基づくセル９−１内にいるときに、ＨＮＢ１１−１のセル９−１、公衆データネットワーク（この場合、インターネット１３）、ホーム基地局ゲートウェイ（ＨＮＢ−ＧＷ）１５及びコア電話網８を介して、他のユーザー（図示せず）と通信することもできる。ＨＮＢ１１−１は通常、ＡＤＳＬ又はケーブル接続のような適切なインターネット接続を介してそれぞれのＨＮＢ−ＧＷ１５に接続し、それぞれのＨＮＢ−ＧＷ１５を介して全てのアップリンク通信が送信されるように、ＨＮＢ−ＧＷ１５のＩＰアドレスをプログラミングされる。
【００２０】
自らのセル９−２を有する第２のＨＮＢ１１−２が示されており、移動電話３は、どのＨＮＢが最も良い接続を提供するかによって、ＨＮＢ１１間でハンドオーバすることができる。
【００２１】
この実施形態では、ＨＮＢ１１−１及び１１−２はいずれも「クローズド」モードにおいて動作するように構成され、そのモードでは、ＨＮＢ１１に関連付けられたそれぞれのクローズド加入者グループ（ＣＳＧ）のメンバーだけがアクセスを許される。
【００２２】
以下で更に詳細に説明されるように、この実施形態では、ＨＮＢ−ＧＷ１５は、移動電話３がＨＮＢ１１間でハンドオーバするときにアクセス制御を実行し、識別情報がまだ入手されていない場合には、入手するために、コアネットワーク８から移動電話３のための識別情報を要求する。
【００２３】
移動電話
図２は、図１に示す移動電話３の主要構成要素を概略的に示している。図示されるように、移動電話３は、１つ又は複数のアンテナ２５を介してＲＡＮ基地局５又はＨＮＢ１１に対し信号を送受信するように動作可能な送受信機回路部２３を備える。図示されるように、移動電話３は、該移動電話３の動作を制御するコントローラー２７も備え、該コントローラー２７は、送受信機回路２３、並びにラウドスピーカー２９、マイクロフォン３１、ディスプレイ３３、及びキーパッド３５に接続される。コントローラー２７はメモリ３７内に記憶されているソフトウェア命令に従って動作する。図示されるように、これらのソフトウェア命令には、中でも、オペレーティングシステム３９、電話登録モジュール４１、測定モジュール４２、及びＣＳＧ管理モジュール４３が含まれる。
【００２４】
この実施形態では、電話登録モジュール４１は、移動電話３がそのＨＮＢ１１の範囲内にいるときに、ホーム基地局１１を選択することができるようにする。測定モジュール４２は、移動電話３が、該移動電話３の付近にあるセル９に対する測定を実行することができるようにする。ＣＳＧ管理モジュール４３は、移動電話３がメンバーであるＣＳＧの詳細を含む少なくとも１つのＣＳＧリスト４５を保持する（例えば、運用者によって管理される「許可ＣＳＧリスト」及び／又はユーザーによって管理される「ユーザーＣＳＧリスト」）。
【００２５】
ホーム基地局１１の選択は自動的に制御することもでき、ユーザーによって手動で制御することもできること、及びＣＳＧリスト４５は、移動電話３のメモリ３７に、かつ／又は汎用加入者識別モジュール（ＵＳＩＭ）（図示せず）に格納することもできることは理解されよう。
【００２６】
ホーム基地局
図３は、図１に示すホーム基地局（ＨＮＢ）１１のそれぞれの主要構成要素を示すブロック図である。図示されるように、各ＨＮＢ１１は、１つ又は複数のアンテナ５３を介して移動電話３に対し信号を送受信するように動作可能であり、かつＨＮＢ−ＧＷインターフェース５５を介してＨＮＢ−ＧＷ１５に対し信号を送受信するように動作可能な送受信機回路部５１を備える。送受信機回路部５１の動作は、メモリ５９内に記憶されているソフトウェアに従ってコントローラー５７によって制御される。このソフトウェアには、中でも、オペレーティングシステム６１、基地局登録モジュール６３、移動電話登録モジュール６５、接続管理モジュール６７、システム情報モジュール６８、及びＣＳＧ管理モジュール６９が含まれる。
【００２７】
基地局登録モジュール６３は、ＨＭＢ１１をＨＮＢ−ＧＷ１５に登録するように動作可能であり、移動電話登録モジュール６５は、移動電話３をＨＮＢ１１及びＨＮＢ−ＧＷ１５に登録するように動作可能である。接続管理モジュール６７は、ＨＮＢ１１のセル９にキャンプオンする移動電話３の接続を管理するように動作可能である。ＨＮＢ１１のＣＳＧ管理モジュール６９は、アクセスモードのうちの１つ（「クローズド」、「ハイブリッド」又は「オープン」）の下で動作するようにＨＮＢ１１を構成するように、かつ（ハイブリッドＣＳＧアクセスモード又はクローズドＣＳＧアクセスモードが構成される場合）ＨＮＢ１１に関連付けられたＣＳＧを設定するように動作可能である。システム情報モジュール６８は、ＨＮＢ１１のＣＳＧアクセスモードを識別する情報を含むセル９に関連するシステム情報を、付近の移動電話３にブロードキャストするように動作可能である。
【００２８】
ホーム基地局ゲートウェイ
図４は、図１に示されるホーム基地局ゲートウェイ（ＨＮＢ−ＧＷ）１５の主要構成要素を示すブロック図である。図に示されるように、ＨＮＢ−ＧＷ１５は、送受信機回路部７０を備えており、送受信機回路部は、ＨＮＢインターフェース７２を介して、ＨＮＢ１１に対し信号を送受信するように動作可能であり、かつ、ＣＮインターフェース７４を介して、ＣＮ８に対し信号を送受信するように動作可能である。送受信機回路部７０の動作は、メモリ７８内に記憶されているソフトウェアに従ってコントローラー７６によって制御される。このソフトウェアは、中でも、オペレーティングシステム８０、基地局登録モジュール８２、移動電話登録モジュール８４及びアクセス制御モジュール８６を含む。
【００２９】
基地局登録モジュール８２は、ＨＮＢ１１をＨＮＢ−ＧＷ１５に登録するように動作可能であり、電話登録モジュール６５は、移動電話３をＨＮＢ−ＧＷ１５に登録するように動作可能である。アクセス制御モジュール８６は、ＨＭＢ−ＧＷ１５によってサービングされるＨＮＢ１１間を移動する移動電話３のためのアクセス制御を実行するように動作可能である。アクセス制御モジュール８６は、ＨＭＢ−ＧＷ１５によってサービングされるＣＳＧ使用可能ＨＮＢ１１毎に１つ又は複数のアクセス制御リスト（ＡＣＬ）８８を保持する。各ＡＣＬ８８は、それぞれのＨＮＢのＣＳＧのメンバーである移動電話３の詳細を含む。
【００３０】
上記の説明において、移動電話３、ホーム基地局１１及びホーム基地局ゲートウェイ１５は、理解しやすくするために、複数の別々のモジュール（基地局登録モジュール、電話登録モジュール、アクセス制御モジュール等）を有するものとして説明される。或る特定の応用例、例えば、本発明を実施するために既存のシステムが変更された場合には、これらのモジュールはこのようにして設けられてもよいが、他の応用例、例えば、最初から本発明の機構を念頭において設計されるシステムでは、これらのモジュールはオペレーティングシステム又はコード全体の中に組み込むことができるので、これらのモジュールは別々の実体として区別可能でない場合もある。
【００３１】
例示的な実施態様−概説
ここで、１つの例示的な実施態様が説明され、第１の（ソース）ＨＮＢ１１−１のセル９にキャンプオンしている移動電話３が、アクティブ状態／モードで開始し、その後に、ＨＮＢ１１−１のセル９−１から、第２の（ターゲット）ＨＮＢ１１−２のセル９−２にリロケートする。
【００３２】
ＣＳＧ使用可能移動電話３がアクティブモードにあり、例えば、ユーザーが電話をかけているか、又はインターネットにアクセスしているとき、そのユーザーは移動電話３を移動させることができ、移動電話３が現在キャンプオンしているＨＮＢ１１−１（ソースＨＮＢ１１−１）のセル９−１がもはや、移動電話３にとって最も適したセル９−１でなくなり、例えば、移動電話３は、ソースＨＮＢ１１−１の信号強度が近傍のターゲットＨＮＢ１１−２の信号強度よりも弱くなるように移動している場合がある。この場合、移動電話は、ターゲットＨＮＢ１１−２によってサービングされるように移動することが好ましい可能性がある。
【００３３】
移動電話３がセル９から移動すべきであるか否かを判断するために、移動電話３は、キャンプオンしているセル９−１及び付近にある他のセル９−２（例えば、近傍／近隣のセル）の両方のための測定（例えば、周波数内、周波数間及びＲＡＴ間移動性、品質、ＵＥ内部、位置決め測定等）を実行する。
【００３４】
その測定は、近傍セルのＨＮＢ１１によって送信される信号に対して実行される。近傍セルのＨＮＢ１１−２も、セル９−２がクローズドセルであるか否かを、そしてクローズドセルである場合にはＣＳＧ識別子を特定する信号を送信する。測定を実行するとき、ＣＳＧをサポートする移動電話３は、任意の受信されたＣＳＧ識別子情報と、自らのＣＳＧリスト４５とを比較し、その移動電話３がＣＳＧ識別子を送信したＨＮＢ１１−２に接続する権利があるか否かを判断することによって、アクセス制御を実行する。移動電話３が、所与のＨＮＢ１１に接続する権利がないと判断する場合には、そのＨＮＢ１１−２のための測定結果は無視される。
【００３５】
その後、移動電話３は、測定報告において、その調査結果を、移動電話３のための識別子と共にソースＨＮＢ１１−１に報告する。移動電話３が測定報告に含む識別子は一時識別子であり、これは、移動電話３がＨＮＢ−ＧＷ１５に登録されるときに生成され、ＨＮＢ−ＧＷ１５に登録された他のデバイスから移動電話３を一意に区別する。
【００３６】
ソースＨＮＢ１１−１は、測定報告の受信時に、移動電話３が他のＨＮＢ１１−２にリロケートするべきであるか否かを判断する。移動電話３が他のＨＭＢ１１−２にリロケートすべきであると判断される場合には、ソースＨＮＢ１１は、移動電話３のための一時識別子を含む要求をＨＮＢ−ＧＷ１５に送信し、ターゲットＨＮＢ１１−２へのリロケーションを開始する。
【００３７】
ＨＮＢ−ＧＷ１５は、その要求を処理して、移動電話３、ソースＨＮＢ１１−１、及び移動電話３がリロケートすべきであるターゲットＨＮＢ１１−２を識別し、そのアクセス制御リスト８８を用いてリロケーションのためのアクセス制御を開始する。ＡＣＬは、国際移動加入者識別番号（ＩＭＳＩ）のような永久識別子を用いて、移動電話３を識別するので、ＨＮＢ−ＧＷ１５は、コアネットワーク８から、移動電話３の永久識別子を入手しなければならない。ＨＮＢ−ＧＷ１５は、コアネットワーク８に、移動電話３の一時識別子を含む要求を送信することによって、これを果たす。
【００３８】
ＨＮＢ−ＧＷ１５は、ＣＮ８から移動電話の永久識別子を受信すると、その永久識別子がターゲットＨＮＢのＡＣＬ８８上にあるか否かを調べることによって、移動電話３のためのアクセス制御を実行する。永久識別子がターゲットＨＮＢのＡＣＬ８８上にない場合には、アクセス制御は失敗し、ＨＮＢ−ＧＷ１５はソースＨＮＢ１１に通知する。永久識別子がターゲットＨＮＢのＡＣＬ８８上にある場合には、アクセス制御は成功し、ＨＮＢ−ＧＷ１５はターゲットＨＮＢ１１にメッセージを送信し、ハンドオーバを開始する。
【００３９】
例示的な実施態様−詳細
ＨＮＢ測定
移動電話３の測定モジュール４２は、移動電話３が接続モード／状態にあるときに、サービングしているセル９−１及び付近にある他の（近傍）セル９−２の両方における測定（例えば、周波数内、周波数間及びＲＡＴ内移動性、品質、ＵＥ内部、位置決め測定等）を実行するように動作可能である。その測定は自動的に行なうこともできるし、ソースＨＮＢ１１−１によって若しくはソースＨＮＢ１１−１を介して、明示的に要求されることもでき、例えば、ソースＨＮＢ１１は、移動電話３がキャンプオンしているセルに対して、移動電話３に測定を実行するように要求することができる。そのような要求は、移動電話３が測定値を比較するための、信号強度測定値のような所定の判定基準を含むことができる。測定モジュール４２は、それらの測定が、移動電話３が別のセル９にリロケートするのが好ましいか否かを判断するために、移動電話３が近傍セル９に対して実行すべきであるような測定であるか否かを判断するように動作可能である。
【００４０】
測定モジュール４２は、測定中に、ＨＮＢ１１−２からＣＳＧ情報を受信すると、ＣＳＧ識別番号ＩＥ（情報要素）を抽出し、それをＣＳＧ管理モジュール４３に与えるように動作可能であり、ＣＳＧ管理モジュール４３は、ＣＳＧ識別番号ＩＥを、移動電話３がメンバーであるＣＳＧの詳細を含むリスト４５と比較するように動作可能である。ＣＳＧ識別番号ＩＥが移動電話のリスト４５上にある場合には、そのＨＮＢ１１−２からの測定値は、ソースＨＮＢ１１−１に返送される報告内に含まれることになる。その報告は、測定されたセル毎の信号強度測定値に加えて、ＲＮＣ−Ｉｄ（無線ネットワークコントローラー識別番号）及びターゲットセル識別番号情報のような、セルを識別するデータも含む。
【００４１】
別のＨＮＢへのリロケーションの決定
ソースＨＮＢ１１によって測定報告が受信されると、ＨＮＢは、移動電話３（ＵＥ）を別の（ターゲット）ＨＮＢ１１−２にリロケートするか否かを判断する（図５のステップ２）。
【００４２】
その際、ソースＨＮＢ１１−１は、ＨＮＢ−ＧＷ１５に、移動電話３のための現在のセッションのためのＵＥコンテキスト識別子、ＣＮドメイン識別子のようなドメイン情報、並びにターゲットＲＮＣ−Ｉｄ及びターゲットセル識別番号情報を含むリロケーション必須メッセージを含むメッセージを送信することによって、移動電話の通信セッションのターゲットＨＮＢ１１−２へのリロケーションを開始する（図５のステップ３）。
【００４３】
ＨＮＢ−ＧＷにおけるアクセス制御
ＨＮＢ−ＧＷ１５においてリロケーション必須メッセージを受信すると、ＨＮＢ−ＧＷ１５はターゲットＲＮＣ−Ｉｄを抽出し（図５のステップ４ａ）、それを自らのＲＮＣ−Ｉｄと比較する。ターゲットＲＮＣ−Ｉｄ及びＨＮＢ−ＧＷのＲＮＣ−Ｉｄの両方が同じである場合には、ＨＮＢ−ＧＷ１５は、そのリロケーション要求がＨＮＢ間リロケーション要求であることを判断する。また、ＨＮＢ−ＧＷ１５は、受信されたターゲットセル識別番号情報から、ターゲットＨＮＢ１１−２がＨＮＢ−ＧＷ１５に登録されていること確認し、それにより、そのリロケーション要求がＨＮＢ−ＧＷ内移動のための要求であると判断する。
【００４４】
ＨＮＢ−ＧＷ１５が、非ＣＳＧ使用可能移動電話のための（又は、非ＣＳＧ使用可能ＨＮＢ１１に現在接続されているＣＳＧ使用可能移動電話のための）リロケーション要求を受信する場合には、移動電話３とソースＨＮＢ１１−１との接続中にＨＮＢ−ＧＷ１５に永久識別子が与えられることに起因して、ＨＮＢ−ＧＷ１５は移動電話３のためのこの識別子を既に有することになる。その際、ＨＮＢ−ＧＷ１５は、移動電話の永久識別子がターゲットＨＮＢのＡＣＬ８８上にあるか否かを調べることによって、移動電話３のためのアクセス制御を実行することができる。移動電話の永久識別子がターゲットＨＮＢのＡＣＬ８８上にある場合には、アクセス制御は成功し、ＨＮＢ−ＧＷ１５はＨＮＢハンドオーバを開始し、そうでない場合には、アクセス制御は失敗し、ＨＮＢ−ＧＷ１５は、ソースＨＮＢ１１−１にリロケーション準備失敗メッセージを送信する。
【００４５】
ＨＮＢ−ＧＷ１５がリロケーション要求を受信し、かつ移動電話３並びにターゲットＨＮＢ１１及びソースＨＮＢ１１がいずれもＣＳＧ使用可能である場合には、ＨＮＢ−ＧＷ１５は、セル識別番号情報を用いて、両方のＨＮＢ１１が同じＡＣＬ８８を利用するか否かを調べる。同じである場合には、移動電話３はソースＨＮＢ１１に既に接続されているので、ターゲットＨＮＢ１１に接続するのも許されるべきであり、したがって、ＨＮＢ−ＧＷ１５は、アクセス制御を再び実行するのを避けることができ、代わりに、ＨＮＢハンドオーバをそのまま開始する。
【００４６】
ソースＨＮＢ１１及びターゲットＨＮＢ１１が同じＣＳＧを利用しない場合には、ＨＮＢ−ＧＷ１５によってアクセス制御が実行される必要がある（図５のステップ４ｂ）。しかしながら、ＡＣＬは永久識別子を使用するので、アクセス制御は、ＨＮＢ−ＧＷ１５が入手可能である一時移動電話識別子のみに基づいて実行することはできない。それゆえ、ＨＮＢ−ＧＷ１５は、ＵＥコンテキストに関連付けられたＰＬＭＮ（公衆陸上移動網）識別番号、ＬＡＣ（ロケーションエリアコード）及び／又はＲＡＣ（ルーティングエリアコード）のような、コアネットワークが移動電話３を一意に識別するのを助ける他の情報と共に、移動電話の一時識別子を含む情報交換要求をＣＮ８に送信することによって、ＣＮ８から移動電話の永久識別子を要求する（図５のステップ５ａ）。
【００４７】
ＨＮＢ−ＧＷ１５において、ＣＮ８から、移動電話３の永久識別子を含む情報交換応答を受信すると（図５のステップ５ｂ）、ＨＮＢ−ＧＷ１５は、移動電話の永久識別子がターゲットＨＮＢのＡＣＬ８８上にあるか否かを調べることによって、移動電話３のためのアクセス制御を実行する。移動電話の永久識別子がターゲットＨＮＢのＡＣＬ８８上にある場合には、アクセス制御は成功し、ＨＮＢ−ＧＷ１５はＨＮＢハンドオーバを開始し、そうでない場合には、アクセス制御は失敗し、ＨＮＢ−ＧＷ１５はソースＨＮＢ１１１−１にリロケーション準備失敗メッセージを送信する。
【００４８】
ＨＮＢハンドオーバ
ＨＮＢハンドオーバを開始すると、ＨＮＧ−ＧＷ１５はターゲットＨＮＢ１１−２に、
ＵＥコンテキストについての情報及びＣＮドメイン情報と共にリロケーション要求を送信する（図５のステップ６）。その後、ターゲットＨＮＢ１１−２は移動電話３を登録し、リロケートされる移動電話３のためのリソース割当てを実行し（図５のステップ７）、その後、ＨＮＢ−ＧＷ１５にリロケーション要求肯定応答メッセージを送信する（図５のステップ８）。
【００４９】
その後、ＨＮＢ−ＧＷ１５は、ソースＨＮＢ１１−１にリロケーション指令メッセージを送信し（図５のステップ９）、図５のステップ１０〜１５に示されるように、ＨＮＢハンドオーバが従来通りに継続する。
【００５０】
変更形態及び代替形態
上記で詳細な実施形態が説明された。当業者であれば理解するように、上記の実施形態に対し、該実施形態において具現化される本発明から依然として利益を受けながら、複数の変更及び代替を行うことができる。
【００５１】
上記の実施形態では、移動電話ベースの電気通信システムが説明された。当業者であれば理解するように、本出願において記載されるシグナリング技法を他の通信システムに用いることができる。他の通信ノード又は通信デバイスは、例えば、個人用携帯情報端末、ラップトップコンピューター、ウェブブラウザー等のようなユーザーデバイスを含むことができる。
【００５２】
上述した実施形態において、移動電話及びＨＮＢはそれぞれ送受信機回路部を備える。通常、この回路部は、専用ハードウェア回路によって形成される。しかしながら、いくつかの実施形態では、送受信機回路部の一部を、対応するコントローラーによって実行されるソフトウェアとして実装することができる。
【００５３】
上記の実施形態では、複数のソフトウェアモジュールが説明された。当業者であれば理解するように、それらのソフトウェアモジュールは、コンパイルされた形式でもコンパイルされていない形式でも提供することができ、コンピューターネットワークを介した信号として又は記録媒体上で、ＨＮＢ又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局、ゲートウェイ及び移動電話の機能を更新するために該基地局、ゲートウェイ、及び該移動電話を更新するのが容易になるため、ソフトウェアモジュールの使用が好ましい。
【００５４】
明細書において、具体的な通信ノード（例えば、ＨＮＢ、基地局、ＮｏｄｅＢ、ＲＮＣ）が説明されてきたが、その説明を、類似の機能を有する他のノードにも同じく当てはめることができることは理解されよう。詳細には、用語ＨＮＢは、任意のタイプのネットワーク（例えば、ＬＴＥ、ＷｉＭＡＸ等）のホーム基地局を指すのに包括的に用いられること、並びに類似の機能を基地局（ＮｏｄｅＢ）及び／又はＲＮＣによって提供することができることは理解されよう。
【００５５】
１つの可能性として、ＨＮＢ−ＧＷがアクセス制御を実行する代わりに、ＨＮＢ−ＧＷがコアネットワークから汎用識別子情報を受信すると、ＨＮＢ−ＧＷはこの情報をターゲットＨＮＢに転送し、その際、ターゲットＨＮＢが自らアクセス制御を実行する。
【００５６】
１つの可能性として、測定報告に基づいて、ソースＨＮＢが移動電話をリロケートするのを決定する代わりに、ソースＨＮＢは、ソースＨＮＢにおける１つ又は複数の実施態様特有の理由に基づいて、リロケートをするのを決定することができる。
【００５７】
上記の実施形態では、ＨＮＢ−ＧＷは、コアネットワークから、移動電話３の永久識別子を要求する。ＨＮＢ−ＧＷは、ＲＡＮＡＰコネクションレス型アップリンク情報手順のような、コネクションレス型プロトコル（２つのデバイス間の通信において、予め順序を踏むことなく、一方のデバイスから他方のデバイスにメッセージが送信される手順）を用いて、この情報を要求することができる。別の可能性として、３ＧＰＰ  ＴＳ２５．４１３において記述されるコネクション型モードのような、コネクション型プロトコル（例えば、通信前に終端間で通信セッションが確立されるプロトコル）を用いて、ＨＮＢ−ＧＷによってＣＮに情報交換要求を送信することができる。
【００５８】
上記の実施形態では、ＨＮＢ−ＧＷが、リロケーション要求を受信し、かつソースＨＮＢ及びターゲットＨＮＢの両方が同じＡＣＬを利用すると判断するとき、ＨＮＢ−ＧＷはアクセス制御を実行せず、代わりに、ＨＮＢハンドオーバを開始する。別の可能性として、ＨＮＢ−ＧＷは、ソースＨＮＢ及びターゲットＨＮＢが同じＡＣＬを利用するか否かにかかわらず、（上記のように）アクセス制御を開始することができ、そのような場合には、ＨＮＢ−ＧＷは、ソースＨＮＢ及びターゲットＨＮＢが同じＡＣＬを利用するか否かを調べる必要はない。ソースＨＮＢ及びターゲットＨＮＢが同じＡＣＬを利用するか否かにかかわらずアクセス制御を実行することによって、移動電話がソースＨＮＢに登録する時刻とＨＮＢ−ＧＷがリロケーション要求を受信する時刻との間の期間において、ターゲットのＡＣＬが移動電話の永久識別子を除去するように変更された場合に、移動電話がターゲットＨＮＢに接続するのを許されるべきであるか否かを正確に判断することができるようになる。さらに、ソースＨＮＢ及びターゲットＨＮＢが同じＡＣＬを利用するか否かにかかわらずアクセス制御を実行することによって、例えば、スプーフィングされたリロケーション要求を阻止することにより、セキュリティを高めることもできる。
【００５９】
種々の他の変更は当業者には明らかであり、ここでは、これ以上詳しくは説明しない。
【００６０】
以下は、現在提案されている３ＧＰＰ標準規格において本発明を実施することができる方法の詳細な説明である。種々の機構が不可欠であるか、又は必要であるように記述されるが、これは、例えば、その標準規格によって課せられる他の要件に起因して、提案された３ＧＰＰ標準規格の場合のみ当てはまる場合がある。それゆえ、ここで述べられることは、本発明を多少なりとも制限するものと解釈されるべきではない。
【００６１】
１．  序論
Ｒ９ＷＩ「Support of Home NB and Home eNB enhancements RAN3 aspects」［１］は、ＷＩの目的の１つである、ＨＮＢ間移動性のサポートを含む。これまでのＲＡＮ＃３ミーティング中に、移動中のアクティブモードにおけるアクセス制御機構に関して、数多くの検討が行なわれた。多数のオプションが検討されたが、まだ決定されていない。この寄稿は、アクティブモードにおいてＨＮＢ−ＧＷ内移動中にアクセス制御を実行する種々の機構を分析する。
【００６２】
２．  検討
現在の作業仮説は、以下の通りである。
・初期アクセス制御は、ＵＥにおいて実行されるべきである（ＲＡＮ２からの実現可能性による）。
・ＵＥアクセス制御にかかわらず、ネットワークはいつでも第２のアクセス制御を実行する。
【００６３】
マクロアクセスネットワークとは異なるＨＮＢアクセスネットワークのための基本概念を考える必要がある。ＨＮＢセルは非常に小さなサイズのセルであり、マクロシナリオに比べて、ハンドオーバの数がはるかに多く、頻繁である。例えば、アクセス制御を決定する際に、
・許可されないＵＥの場合に早期に拒否するために、
・ＣＮの関与を最小限に抑えるために、
・シグナリングを最小限に抑えるために、
・必要とは限らない場合に変更を回避するために、
・情報を検証することに関するセキュリティ及び一貫性を遵守するために、
いくつかの基本概念が考慮される必要がある。
【００６４】
Ｈ（ｅ）ＮＢアクセス制御のためのアクセス制御機構を決定するときに、ＣＳＧ  ＵＥ及び非ＣＳＧ  ＵＥに対して適用可能なアクセス制御のための共通の手法を見つけることが望ましい。また、ＵＴＲＡＮ及びＥ−ＵＴＲＡＮの場合に同じ機構、又はできる限り近い機構を有することが好ましい。しかしながら、レガシーＵＥをサポートするための要件があるので、必ずしも共通の手法を実際に採用することが可能であるとは限らない。アクセス制御が、非ＣＳＧ  ＵＥの場合にＨＮＢ−ＧＷにおいて実行され、一方、ＣＳＧ  ＵＥの場合にＣＮにおいて実行されるときに、同様の問題がリリース８においても経験される。それゆえ、完全なアーキテクチャを定義するために、確かにいくつかの例外が必要とされるものの、全ての使用事例を個別に検討し、その後、できる限り近い解決策を発展させる必要がある。アクセス制御の場所は現在検討中である。また、ＵＥが初期アクセス制御を実行するにしても、その後に行なわれるアクセス制御の場所も検討された。
【００６５】
アクセス制御の場所だけが検討中であることに留意されたい。リリース８において既に確立されているアクセス制御機構の変更はないはずである。そうは言っても、他のＷＧによって提起された問題を遵守する必要があり、例えば、ＣＴ１  ＬＳ［３］の場合に、ＲＡＮノードが、「アクセス制御のためにではなく」、ページングを最適化するためにのみ許可ＣＳＧリストを使用する場合には、ＣＴ１はページングメッセージ内に許可ＣＳＧリストを含むことについての問題を検討しない。さらに、早期の検討中に［４］、ＨＮＢ  ＧＷにおけるアクセス制御のためのＵＥ  ＩＭＳＩリストは、オペレータ側にある中央ＩＭＳＩリストデータベースからダウンロードされるべきであるということで合意したので、それに従うべきである。この同じＩＭＳＩリストが、ＨＮＢ−ＧＷにおけるアクセス制御の場合にも用いられるべきである。ＨＮＢ−ＧＷは自らアクセス制御を実行すべきであるか、又はその要求をターゲットに転送することができる。
【００６６】
この場合、ソースＨＮＢ及びターゲットＨＮＢは同じＨＮＢ−ＧＷに接続され、移動はＩｕシグナリング接続を変更することなく実行される。フェムトセルは小さなセルであり、非常に数が多いので、このタイプの移動は非常に頻繁である。大抵の場合に、２つのＨＮＢが同じＨＮＢ−ＧＷに接続されると一般的に仮定される。
【００６７】
非ＣＳＧ  ＵＥ：リリース８では、非ＣＳＧ  ＵＥのためのアクセス制御はＨＮＢ−ＧＷにおいて実行される。ソースＨＮＢ及びターゲットＨＮＢは同じＨＮＢ−ＧＷに接続される。したがって、ＨＮＢ−ＧＷは、移動中にターゲットＨＮＢのためのアクセス制御を実行すべきである。
【００６８】
ＣＳＧ  ＵＥ：リリース８では、ＵＥ及びＨＮＢがいずれもＣＳＧ可能である場合、ＣＳＧ  ＵＥのためのアクセス制御はＣＮにおいて実行される。しかしながら、１つの特定のシナリオ、すなわち、ＣＳＧ  ＵＥ及び非ＣＳＧ  ＨＮＢの場合、ＨＮＢ−ＧＷが、ＣＳＧ  ＵＥのためのアクセス制御も実行する。それゆえ、ＨＮＢ−ＧＷ内シナリオの場合、ＨＮＢ−ＧＷは、ＣＳＧ  ＵＥのためのアクセス制御も実行すべきである。
【００６９】
提案１：ＨＮＢ−ＧＷ内中に、ＣＳＧ  ＵＥ及び非ＣＳＧ  ＵＥいずれのためのアクセス制御もＨＮＢ−ＧＷにおいて実行されるべきである。
【００７０】
提案２：提案１を完全にするために、ＣＳＧ  ＵＥのＩＭＳＩが存在しない場合には、ＨＮＢ−ＧＷは、ＲＡＮＡＰアップリンクシグナリング情報要求手順を用いて、ＣＮから、登録されたＣＳＧ  ＵＥのためのＩＭＳＩ値を要求することができるべきである。このＲＡＮＡＰ手順は、そのような機能を取り扱うように更新されるべきである。
【００７１】
３．  結論
上記の検討から、以下のことが提案される。
【００７２】
提案１：ＨＮＢ−ＧＷ内中に、ＣＳＧ  ＵＥ及び非ＣＳＧ  ＵＥいずれのためのアクセス制御もＨＮＢ−ＧＷにおいて実行されるべきである。
【００７３】
提案２：提案１を完全にするために、ＣＳＧ  ＵＥのＩＭＳＩが存在しない場合には、ＨＮＢ−ＧＷは、ＲＡＮＡＰアップリンクシグナリング情報要求手順を用いて、ＣＮから、登録されたＣＳＧ  ＵＥのためのＩＭＳＩ値を要求することができるべきである。このＲＡＮＡＰ手順は、そのような機能を取り扱うように更新されるべきである。
【００７４】
４．  引例
［１]  RP-090349 Support of Home NB and Home eNB enhancements RAN3 aspects
［２]  TS 25.413 RANAP Specification
［３]  LS Reply from CT1 [R3-090492] Paging Optimization
［４]  R3-083149
【００７５】
図５
図５のステップを参照する。
【００７６】
１．ソースＨＮＢ及びＨＮＢ−ＧＷを介して、ＵＥが、ＣＮとのアクティブＣＳ／ＰＳ（回路切替／パケット切替）セッションを確立している。
【００７７】
２．或る時点で、ソースＨＮＢが、ＵＥセッションをリロケートすることを決定する（例えば、ＵＥからの測定報告に基づくか、又はソースＨＮＢにおける任意の他の実施態様特有の理由に基づく）。
【００７８】
３．ソースＨＮＢが、ＲＵＡ直接転送メッセージ内にカプセル化されるＲＡＮＡＰリロケーション必須メッセージを送信することによって、ＵＥセッションのリロケーションをトリガーする。ソースＨＮＢによって、リロケーション情報と共に、ターゲットＲＮＣ−Ｉｄ及びターゲットセル識別番号情報がＲＡＮＡＰリロケーション必須メッセージに含まれる。
【００７９】
４．ターゲットＲＮＣ−ＩｄがＨＮＢ−ＧＷのＲＮＣ−Ｉｄであるので、ＨＮＢ−ＧＷは、これがＨＮＢ間リロケーション要求であると判断する。その際、ＨＮＢ−ＧＷは、ターゲットＨＮＢ（ターゲットセル識別番号に基づく）もＨＮＢ−ＧＷ内に登録されていることも確認する。また、ＨＮＢ−ＧＷは、その特定のＵＥのためのアクセス制御も実行する。そのアクセス制御は、以下の論理に基づくことができる。
ＵＥが非ＣＳＧ可能である：
◎ＵＥがＣＳＧ可能でない場合には（例えば、プレリリース８ＵＥ）、ＨＮＢ−ＧＷはいずれにしても強制的なアクセス制御を実行するための情報を有する。
ＵＥがＣＳＧ可能である：
◎ＵＥ及びＨＮＢがＣＳＧ可能である場合には、ＨＮＢ−ＧＷは、ソースＨＮＢ及びターゲットＨＮＢのＣＳＧ識別番号を調べる。
☆ ソースＨＮＢ及びターゲットＨＮＢの両方が同じを有するなら（ＣＳＧ内）、その場合には、アクセス制御がスキップされる。
☆ ソースＨＮＢ及びターゲットＨＮＢの両方が異なるＣＳＧを有する場合には（ＣＳＧ間）、ＨＮＢ−ＧＷは、ターゲットＣＳＧのためにＵＥのためのアクセス制御を実行すべきである。ＵＥは、ソースＨＮＢでの登録中に一時ＵＥ識別番号で登録されているので、ＨＮＢ−ＧＷは、アクセス制御を実行するために、ＵＥ永久識別番号（ＩＭＳＩ）を入手する必要がある（問題定義）。
注記：ＨＮＢ−ＧＷにおけるアクセス制御は、ＨＮＢ−ＧＷにおいてＨＮＢ毎に保持される、「アクセス制御リスト（ＡＣＬ）」と呼ばれる「許可ＩＭＳＩリスト」に対してＵＥ永久識別番号（ＩＭＳＩ）を調べることによって実行される。
【００８０】
５．（解決策）ＨＮＢはＣＮにＵＥ  ＩＭＳＩを尋ねるであろう。２つの方法がある。
選択肢１：既存のＲＡＮＡＰコネクションレス型アップリンク情報交換手順を使用し、必要な変更を加えて、提案２を実現する。この選択肢の場合に、更に２つの可能性がある。
１ａ．ＴＳ２５．４１３において現在規定されているようなコネクションレス型モードにおいて既存の手順を使用する。
１ｂ．ＴＳ２５．４１３において手順をコネクションレス型モードからコネクション型モードに変更しながら既存の手順を使用する。
選択肢２：上記の目的のために、新たなＲＡＮＡＰ手順ＲＡＮＡＰ  ＵＥ情報要求を定義する。
選択肢２ａ：コネクションレス型モードにおける新たな手順。
選択肢２ｂ：コネクション型モードにおける新たな手順。
【００８１】
６．アクセス制御が成功した場合には、ＨＮＢ−ＧＷは適切なＲＡＮＡＰリロケーション要求メッセージを構成し、ＲＵＡ直接転送メッセージ内にカプセル化されたＲＡＮＡＰメッセージをターゲットＨＮＢにルーティングする。アクセス制御が失敗した場合には、ＨＮＢ−ＧＷは、リロケーション手順を拒否し、ＲＵＡ直接転送メッセージ内にカプセル化されたリロケーション準備失敗を送信すべきである。
【００８２】
７．ターゲットＨＮＢが、入ってくるＵＥセッションのための暗黙の登録を実行し（ネットワークによってトリガーされるＵＥ登録に関する詳細及び可能な機構については［３］を参照）、リロケーションを扱うのに適したリソースも割り当てる。
【００８３】
８．ターゲットＨＮＢが、ＨＮＢ−ＧＷへのＲＵＡ直接転送メッセージ内にカプセル化された適切に構成されたＲＡＮＡＰリロケーション要求Ａｃｋメッセージを介して、リソース割当てに成功したことをＨＮＢ−ＧＷに知らせる。
【００８４】
９．ＨＮＢ−ＧＷが、適切なＲＡＮＡＰリロケーション指令メッセージを構成し、ＲＵＡ直接転送メッセージ内にカプセル化されたＲＡＮＡＰメッセージをソースＨＮＢにルーティングする。
【００８５】
１０−１４．リロケーション手順の残りは、上記の図の対応するステップにおいて示されるように継続する。
【００８６】
１５．ＨＮＢ−ＧＷは、ＵＥがターゲットＨＮＢにリロケートするのに成功したという指示を得ると、ソースＨＮＢからＵＥの登録を解除する。ソースＨＮＢは、ＵＥに割り当てられたリソースを解放し、ＵＥに関連付けられた全ての格納されたコンテキスト情報を削除する。
【図１】
0005556883.tif 000002
【図２】
0005556883.tif 000003
【図３】
0005556883.tif 000004
【図４】
0005556883.tif 000005
【図５】
0005556883.tif 000006